(57)【要約】【課題】手書きサイン画像の管理を容易かつ確実に行い、また、決済端末のオペレータの操作も容易にする。【解決手段】決済端末は、取引金額を入力し、携帯電話からクレジット番号を取得すると、クレジットデータを作成して決済端末用サーバに送信する。決済端末用サーバではクレジットデータの信用照会処理を行った後、データベースからクレジット番号に対応する手書きサイン画像を取得し、信用照会処理の結果とこの手書きサイン画像を決済端末に送信する。決済端末は、受信した照会結果に基づいて伝票を発行し、また、手書きサイン画像を表示部に表示する。発行した伝票にサインをもらい、このサインと表示部に表示されている手書きサイン画像とを比較して個人認証を行う。【選択図】      図１０
2005242768.tif 000002
【特許請求の範囲】
【請求項１】
個人識別情報に関連付けて信用照会情報と個人の手書きサイン画像を記憶したデータベースと、このデータベースをアクセスする決済端末用サーバと、決済時に前記決済端末用サーバと送受信を行う決済端末とからなり、
前記決済端末用サーバは、前記決済端末から決済情報を受信する受信手段と、受信した決済情報に含まれる個人識別情報に基づいて前記データベースから該当する信用照会情報と手書きサイン画像を読み出す手段と、読み出した信用照会情報に基づいて信用照会処理を行い、その照会処理結果と読み出した手書きサイン画像を前記決済端末に送信する送信手段とを設け、
前記決済端末は、携帯端末から個人識別情報を無線で取得する識別情報取得手段と、取得した個人識別情報を含む決済情報を作成して前記決済端末用サーバに送信する送信手段と、前記決済端末用サーバから照会処理結果及び個人の手書きサイン画像を受信する受信手段と、受信した手書きサイン画像を表示する表示部とを備えたことを特徴とする決済システム。
【請求項２】
決済端末から決済情報を受信する受信手段と、受信した決済情報に含まれる個人情報に基づいて、個人識別情報に関連付けて信用照会情報と個人の手書きサイン画像を記憶したデータベースから該当する信用照会情報や手書きサイン画像を読み出す手段と、読み出した信用照会情報に基づいて信用照会処理を行い、その照会処理結果とともに読み出した手書きサイン画像を前記決済端末に送信する送信手段とを設けたことを特徴とする決済端末用サーバ。
【請求項３】
携帯端末から個人識別情報を無線で取得する識別情報取得手段と、取得した個人識別情報を含む決済情報を作成して決済端末用サーバに送信する送信手段と、前記決済端末用サーバから照会処理結果及び個人の手書きサイン画像を受信する受信手段と、受信した手書きサイン画像を表示する表示部とを設けたことを特徴とする決済端末。
【請求項４】
決済端末用サーバの送信手段は、読み出した信用照会情報に基づいて信用照会処理を行い、その照会処理結果とともに読み出した個人の手書きサイン画像を暗号化して決済端末に送信し、
前記決済端末の受信手段は前記決済端末用サーバから照会処理結果及び個人の手書きサイン画像を受信すると、手書きサイン画像を復号化することを特徴とする請求項１記載の決済システム。
【請求項５】
個人識別情報に関連付けて信用照会情報と個人の手書きサイン画像と顔画像を記憶したデータベースと、このデータベースをアクセスする決済端末用サーバと、決済時に前記決済端末用サーバと送受信を行う決済端末とからなり、
前記決済端末用サーバは、前記決済端末から決済情報を受信する受信手段と、受信した決済情報に含まれる個人識別情報に基づいて前記データベースから該当する信用照会情報と手書きサイン画像と顔画像を読み出す手段と、読み出した信用照会情報に基づいて信用照会処理を行い、その照会処理結果と読み出した手書きサイン画像及び顔画像を前記決済端末に送信する送信手段とを設け、
前記決済端末は、携帯端末から個人識別情報を無線で取得する識別情報取得手段と、取得した個人識別情報を含む決済情報を作成して前記決済端末用サーバに送信する送信手段と、前記決済端末用サーバから照会処理結果、個人の手書きサイン画像及び顔画像を受信する受信手段と、受信した手書きサイン画像及び顔画像を表示する表示部とを備えたことを特徴とする決済システム。
【請求項６】
決済端末は、さらに、認証結果を入力する手段と、この入力した認証結果を決済端末用サーバに通知する通知手段を設け、
決済端末用サーバは、さらに、前記決済端末から認証結果の通知を受信する第２の受信手段と、受信した認証結果を対応する決済情報とともにデータベースに記録する記録手段を設けたことを特徴とする請求項１又は５記載の決済システム。
【発明の詳細な説明】
【技術分野】
【０００１】
本発明は、決済端末が携帯端末から決済のための個人識別情報を無線で取得して決済し、決済情報を作成して決済端末用サーバに送信する決済システム及びこの決済システムに使用する決済端末並びに決済端末用サーバに関する。
【背景技術】
【０００２】
従来、決済端末にて決済の為に個人認証を行う場合、個人のサインデータを予めメモリカードに記憶しておき、決済を行うときにメモリカードを所持している個人が実際に手書きしたサインデータとメモリカードに記憶してあるサインデータとを照合して個人認証を行うものが知られている（例えば、特許文献１参照）。
【特許文献１】特開平１０−１７１９８５号公報
【発明の開示】
【発明が解決しようとする課題】
【０００３】
しかしながら、メモリカードにサインデータを記憶するものでは、個人がサインデータの管理を行わなければならず、管理が面倒であり、また、カードを紛失するとサインデータが他人のものに改ざんされる虞があった。また、決済端末を操作するオペレータがメモリカードを受け取って端末にサインデータを読取らせる作業が必要となり面倒であった。
【０００４】
本発明は、決済端末用サーバで手書きサイン画像の管理を行うので、手書きサイン画像の管理が容易にかつ確実にでき、また、決済端末が携帯電話などの携帯端末から決済のための個人識別情報を無線で取得し、その個人識別情報によって決済端末用サーバから手書きサイン画像を受け取るので、オペレータに面倒な作業を強いることが無く操作が容易となる決済システム及びこの決済システムに使用する決済端末並びに決済端末用サーバを提供する。
【課題を解決するための手段】
【０００５】
本発明は、例えば、クレジット番号などの個人識別情報に関連付けて信用照会情報と個人の手書きサイン画像を記憶したデータベースと、このデータベースをアクセスする決済端末用サーバと、決済時に決済端末用サーバと送受信を行う決済端末とからなり、決済端末用サーバは、決済端末から決済情報を受信する受信手段と、受信した決済情報に含まれる個人識別情報に基づいてデータベースから該当する信用照会情報と手書きサイン画像を読み出す手段と、読み出した信用照会情報に基づいて信用照会処理を行い、その照会処理結果と読み出した手書きサイン画像を決済端末に送信する送信手段とを設け、決済端末は、携帯端末から個人識別情報を無線で取得する識別情報取得手段と、取得した個人識別情報を含むクレジットデータ等の決済情報を作成して決済端末用サーバに送信する送信手段と、決済端末用サーバから照会処理結果及び個人の手書きサイン画像を受信する受信手段と、受信した手書きサイン画像を表示する表示部とを備えた決済システムにある。
【発明の効果】
【０００６】
本発明によれば、決済端末用サーバで手書きサイン画像の管理を行うので、手書きサイン画像の管理が容易にかつ確実にでき、また、決済端末が携帯電話などの携帯端末から決済のための個人識別情報を無線で取得し、その個人識別情報によって決済端末用サーバから手書きサイン画像を受け取るので、オペレータに面倒な作業を強いることが無く操作が容易となる。
【０００７】
また、本発明によれば、さらに、決済端末用サーバから決済端末に送信する手書きサイン画像を暗号化し、決済端末でこれを復号化するので、手書きサイン画像が漏れるのを防止できる。  
また、本発明によれば、手書きサイン画像の他に顔画像も個人認証に加味することで、より確実な個人認証ができる。
【発明を実施するための最良の形態】
【０００８】
以下、本発明の実施の形態を、図面を参照して説明する。  
（第１の実施の形態）
図１はシステム構成を示すブロック図で、店舗１には複数の決済端末２が設置され、クレジットを扱う会社３には決済端末用サーバ４、携帯電話用サーバ５及びこの各サーバ４，５がバスライン６を介して共通に使用するデータベース７が設けられている。
【０００９】
前記各決済端末２は、例えば、ＰＯＳ（Point of sales）端末からなり、店舗１において販売した商品の登録や精算を行う。そして、精算時において、取引金額について現金精算の他、クレジットによる決済も行うようになっている。  
前記各決済端末２はネットワーク、例えば、ＣＡＦＩＳ(credit and finance information system)８を介して前記決済端末用サーバ４に接続している。前記各決済端末２は、また、携帯端末としての携帯電話９と無線通信が可能になっている。
【００１０】
前記携帯電話９は、また、前記携帯電話用サーバ５とインターネット１０を経由して通信が可能になっている。前記決済端末用サーバ４には手書きサイン画像を読み込むためのスキャナ１１が接続されている。
【００１１】
前記各決済端末２は、図２に示すように、前記ＣＡＦＩＳ８に接続可能なネットワーク接続部２１、ＣＰＵ（中央処理ユニット）、ＲＯＭ（リード・オンリー・メモリ）、ＲＡＭ（ランダム・アクセス・メモリ）等からなり、各種アプリケーションの実行を行うアプリケーション実行部２２、書き換え可能な大容量メモリからなる記憶部２３、キーボートを有するキー入力部２４、液晶ディスプレイなどからなる画像やテキストなどの情報を表示する表示部２５、前記携帯電話９と無線でデータの送受信を行う無線通信部２６、レシート印刷や伝票印刷等を行う印刷部２７によって構成されている。
【００１２】
前記アプリケーション実行部２２には、主なアプリケーション機能として、携帯電話９からの個人識別情報の取得、例えば、クレジット番号の取得に応じて前記決済端末用サーバ４に対して手書きサイン画像の要求を送信する認証情報要求機能２２１、前記決済端末用サーバ４から受信した手書きサイン画像を前記表示部２５に表示する認証情報表示機能２２２、取得したクレジット番号とキー入力部２４から入力される取引金額などからクレジットデータを作成して前記決済端末用サーバ４に送信するカード処理機能２２３を実行するプログラムが設定されている。なお、ここでは、手書きサイン画像の要求は、例えば、クレジットデータとともに送信する。
【００１３】
前記決済端末用サーバ４は、図３に示すように、前記ＣＡＦＩＳ８に接続可能なネットワーク接続部４１、ＣＰＵ、ＲＯＭ、ＲＡＭ等からなり、各種アプリケーションの実行を行うアプリケーション実行部４２、書き換え可能な大容量メモリからなる記憶部４３、キーボートを有するキー入力部４４、液晶ディスプレイなどからなる画像やテキストなどの情報を表示する表示部４５、前記データベース７に対してデータの書込みや読み出しを行うデータベース接続部４６、前記スキャナ１１から読み込んだ画像の取得処理を行う画像取得部４７によって構成されている。
【００１４】
前記アプリケーション実行部４２には、主なアプリケーション機能として、スキャナ１１から取り込んだ手書きサイン画像を個人識別情報であるクレジット番号と関連付けしてデータベース７に記憶する認証情報登録機能４２１、決済端末２から受信したクレジット番号に対応する手書きサイン画像をデータベース７から取得し、該当する決済端末２に送信する認証情報検索機能４２２、決済端末２から受信したクレジットデータに対して、信用照会等の処理を行い、照会結果を決済装置２に送信する信用照会機能４２３、クレジット番号など一意に識別可能な番号を新たに生成する識別情報発行機能４２４を実行するプログラムが設定されている。なお、新たな番号の生成は、例えば、データベース７に予め保存されている番号のうち、未使用の番号を発行することで行う。
【００１５】
前記携帯電話用サーバ５は、図４に示すように、前記インターネット１０に接続可能なネットワーク接続部５１、ＣＰＵ、ＲＯＭ、ＲＡＭ等からなり、各種アプリケーションの実行を行うアプリケーション実行部５２、書き換え可能な大容量メモリからなる記憶部５３、キーボートを有するキー入力部５４、液晶ディスプレイなどからなる画像やテキストなどの情報を表示する表示部５５、前記データベース７に対してデータの書込みや読み出しを行うデータベース接続部５６によって構成されている。
【００１６】
前記アプリケーション実行部５２には、主なアプリケーション機能として、携帯電話９からの要求に応じてクレジット番号をデータベース７から検索して取得し、前記携帯電話９に送信するクレジット番号送信機能５２１を実行するプログラムが設定されている。
【００１７】
携帯電話９は、図５に示すように、無線通信によって前記インターネット１０に接続可能なネットワーク接続部９１、ＣＰＵ、ＲＯＭ、ＲＡＭ等からなり、各種アプリケーションの実行を行うアプリケーション実行部９２、書き換え可能な大容量メモリからなる記憶部９３、キーボートを有するキー入力部９４、液晶ディスプレイからなる画像やテキストなどの情報を表示する表示部９５、前記決済端末２に対して無線でデータの送受信を行う無線通信部９６によって構成されている。
【００１８】
前記アプリケーション実行部９２には、主なアプリケーション機能として、携帯電話９内に保存されているクレジット番号を、無線通信部９６を使用して前記決済端末２に送信するクレジット番号送信機能９２１、前記携帯電話用サーバ５にクレジット番号の要求を行い、この携帯電話用サーバ５からクレジット番号を取得するクレジット番号要求機能９２２を実行するプログラムが設定されている。
【００１９】
次に、このシステムにおける手書きサイン画像の登録処理について述べる。  
図６は、決済端末用サーバ４による手書きサイン画像の登録処理を示す流れ図で、先ず、Ｓ１にて、キー入力部４４からのクレジットの申込者情報の入力処理を行う。これは、申込者の氏名、住所、年齢、暗証番号等必要な情報を入力する。これにより、Ｓ２にて、クレジット番号を発行する。
【００２０】
そして、Ｓ３にて、スキャナ１１による手書きサインの読込みを行ったかをチェックし、読込みを行っていれば、Ｓ４にて、クレジット番号に関連付けて手書きサイン画像、暗証番号、その他の会員情報をデータベース７に保存する。  
図７は、このときのスキャナ１１の処理を示し、Ｓ５にて、読取面に載置された用紙から手書きサインを読込み、Ｓ６にて、読み込んだ手書きサイン画像を決済端末用サーバ４へ送出する。
【００２１】
図８は、前記データベース７に手書きサイン画像等が保存された状態を示す図で、クレジット番号、暗証番号、手書きサイン画像を格納しているファイルアドレス、会員情報がテーブル７１に記憶され、ファイルアドレスに実際の手書きサイン画像７２が記憶される。暗証番号は、例えば、携帯電話９からクレジット番号のダウンロード要求があったときに認証用に使用する。
【００２２】
次に、このシステムにおける決済処理について述べる。なお、携帯電話９は携帯電話用サーバ５にクレジット番号のダウンロード要求を行って既にクレジット番号を保存している状態にある。  
決済端末２を操作しているオペレータからクレジット番号の要求があると、携帯電話９の所有者は、図９に示すように、Ｓ１１にて、キー入力部９４を操作し無線通信部９６から決済端末２へクレジット番号を送信する。
【００２３】
決済端末２では、図１０に示すように、Ｓ１２にて、キー入力部２４を操作して取引金額を入力する。そして、Ｓ１３にて、携帯電話９からのクレジット番号の受信済みを確認すると、Ｓ１４にて、受信したクレジット番号と入力した取引金額とから決済情報であるクレジットデータを作成する。
【００２４】
続いて、Ｓ１５にて、クレジット番号の取得が携帯電話９からの無線通信か、それ以外、例えば、通常のクレジットカードによるものかを判断し、携帯電話９からの無線通信であれば、Ｓ１６にて、クレジットデータと手書きサイン要求をネットワーク接続部２２から決済端末用サーバ４に送信する。また、それ以外であれば、Ｓ１７にて、クレジットデータのみをネットワーク接続部２２から決済端末用サーバ４に送信する。  
この状態で、決済端末用サーバ４からの受信に待機し、Ｓ１８にて、照会結果と手書きサイン画像の受信を確認すると、Ｓ１９にて、照会結果に基づいて伝票を作成し印刷部２７に印刷させる。続いて、Ｓ２０にて、手書きサイン画像を表示部２５に表示する。
【００２５】
また、決済端末用サーバ４では、図１１に示すように、決済端末２からクレジットデータを受信すると、Ｓ２１にて、クレジットデータの信用照会処理を行い、Ｓ２２にて、手書きサイン要求があるか否かを判断する。手書きサイン要求があれば、Ｓ２３にて、受信したクレジット番号に関連付けられている手書きサイン画像をデータベース７から取得し、Ｓ２４にて、照会結果と手書きサイン画像を決済端末２に送信する。また、手書きサイン要求が無い場合は、Ｓ２４にて、照会結果のみを決済端末２に送信する。
【００２６】
決済端末２を操作するオペレータは、印刷した伝票に携帯電話９の所有者にサインをしてもらう。そして、このサインと表示部２５に表示されている手書きサイン画像とを比較して認証を行う。そして、もし、不正があると判断したときには、図１２に示すように、Ｓ２５にて、キー入力部２４を操作して認証不正を入力し、Ｓ２６にて、認証不正をクレジットデータとともに決済端末用サーバ４に送信する。
【００２７】
これにより、決済端末用サーバ４は、図１３に示すように、Ｓ２７にて、受信した認証不正とクレジットデータを記憶部４３に記憶する。なお、この場合のクレジットデータには日時や認証を判断したオペレータ情報も含まれている。
【００２８】
このような構成の本システムにおいては、携帯電話９を使用してクレジット決済をしたい人は、決済端末用サーバ４に対して手書きサインを登録する。すなわち、決済端末用サーバ４のキー入力部４４から氏名、住所、年齢、暗証番号等を入力するとともに用紙に手書きしたサインをスキャナ１１によって読み込む。
【００２９】
これにより、決済端末用サーバ４は新たなクレジット番号を発行し、データベース７にクレジット番号に関連付けて手書きサイン画像、暗証番号、その他の会員情報を保存する。その後、手書きサインを登録した携帯電話９の所有者が携帯電話９のキー入力部９４を操作し暗証番号等を入力して携帯電話用サーバ５にインターネット１０を経由してクレジット番号のダウンロード要求を行うと、携帯電話用サーバ５はデータベース７を検索し、該当するクレジット番号を読み出して携帯電話９に送信する。携帯電話９はクレジット番号を受信すると、記憶部９３にそのクレジット番号を登録する。
【００３０】
その後、携帯電話９の所有者が店舗内で買物を行い、最後に携帯電話９によるクレジット決済を店側に申し入れると、決済端末２を操作するオペレータは携帯電話９の所有者に対してクレジット番号の送信を要求するとともにキー入力部２４を操作して決済金額を入力する。決済端末２は携帯電話９からのクレジット番号を受信すると、このクレジット番号と入力した取引金額とからクレジットデータを作成し、ＣＡＦＩＳ８を経由して決済端末用サーバ４にこのクレジットデータと手書きサイン要求を送信する。
【００３１】
決済端末用サーバ４ではクレジットデータと手書きサイン要求を受信すると、先ず、信用照会処理を行う。これは、クレジット番号が正当に登録されているものか、トラブルが無いか等をチェックする。クレジット番号に問題が無ければ、続いて、手書きサイン要求があるので、データベース７からクレジット番号に関連付けて登録されている手書きサイン画像を取得し、クレジット番号のチェック結果である照会結果と手書きサイン画像を決済端末２にＣＡＦＩＳ８を経由して送信する。
【００３２】
決済端末２では、照会結果と手書きサイン画像を受信すると、照会結果に基づいて伝票を作成するためのデータを編集し印刷部２７により印刷して伝票を発行する。また、手書きサイン画像を表示部２５に表示する。決済端末２を操作するオペレータは発行された伝票を携帯電話９の所有者に手渡してサインを要求する。そして、サインを書込んだ伝票を受取り、表示部２５に表示されているサイン画像と比較する。そして、認証ＯＫと判断した場合は何もせずにクレジット決済を終了させる。また、認証不正を判断した場合はキー入力部２４から認証不正を入力してからクレジット決済を終了させる。
【００３３】
認証不正を入力すると、決済端末２は認証不正を判断したことをクレジットデータとともに決済端末用サーバ４に送信する。決済端末用サーバ４は認証不正とクレジットデータを受信すると、記憶部４３に認証不正を判断したことを、クレジットデータとともに日時情報、どの決済端末でどのオペレータが判断したかの情報も含めて記憶する。
【００３４】
このように、決済端末用サーバ４がデータベース７を使用して発行したクレジット番号とともに手書きサイン画像の管理を行うので、カードのように個人が管理する必要はなく、手書きサイン画像の管理が容易かつ確実にできる。また、決済端末２が携帯電話９から決済のためのクレジット番号を無線で取得し、そのクレジット番号によって決済端末用サーバ４から手書きサイン画像を受け取るので、決済端末２を操作するオペレータに面倒な作業を強いることが無く操作が容易となる。
【００３５】
（第２の実施の形態）
なお、この実施の形態では、図１及び図３に点線のブロックで示すように、決済端末用サーバ４に、さらに、顔画像を撮影するためのカメラ１２を接続している。そして、前記決済端末用サーバ４の画像取得部４７はスキャナ１１から手書きサイン画像を取得するとともに前記カメラ１２が撮影した顔画像を取得することになる。その他の基本的な構成は前述した第１の実施の形態と同様である。
【００３６】
この実施の形態の決済端末用サーバ４による手書きサイン画像の登録処理は図１４に示すようになる。すなわち、Ｓ３にてスキャナ１１による手書きサインの読込みを行ったかをチェックし、読込みを行っていれば、続いて、Ｓ３１にて、カメラ１２による顔画像の読込みを行ったかをチェックし、読込みを行っていれば、Ｓ３２にて、クレジット番号に関連付けて手書きサイン画像、顔画像、暗証番号、その他の会員情報をデータベース７に保存する。  
前記カメラ１２は、図１５に示すように、Ｓ３３にて、申込者の顔画像を撮影し、Ｓ３４にて、撮影した顔画像を決済端末用サーバ４へ送出する。
【００３７】
図１６は、データベース７に保存された状態を示す図で、クレジット番号、暗証番号、手書きサイン画像を格納しているファイルアドレス、顔画像を格納しているファイルアドレス、会員情報がテーブル７１１に記憶され、サイン画像のファイルアドレスに実際の手書きサイン画像７１２が記憶され、顔画像のファイルアドレスに実際の顔画像７１３が記憶される。
【００３８】
この実施の形態における決済端末２での決済処理は図１７に基づいて行われる。この決済処理は基本的には図１０と同じである。異なるのは、Ｓ１５にてクレジット番号の取得が無線通信であったことを判断したときには、Ｓ３５にて、クレジットデータと手書きサイン、顔画像要求を決済端末用サーバ４に送信することである。すなわち、顔画像要求が付加されている。
【００３９】
そして、Ｓ３６にて、決済端末用サーバ４から、照会結果と手書きサイン画像、顔画像の受信を確認すると、Ｓ１９にて、伝票の作成を行った後、Ｓ３７にて、手書きサイン画像及び顔画像を表示部２５に表示している。  
このような構成においては、前述した第１の実施の形態と同様の作用効果が得られる他、個人認証に手書きサインとともに顔画像も加味しているので、より確実な個人認証ができることになる。
【００４０】
（第３の実施の形態）
この実施の形態は、決済端末２のアプリケーション実行部２２に、さらに、暗号化された手書きサイン画像を複合化するたるの復号化機能を実行するプログラムが設定され、また、決済端末用サーバ４のアプリケーション実行部４２に、さらに、手書きサイン画像を暗号化するための暗号化機能を実行するプログラムが設定されている。その他については、前述した第１の実施の形態と同様である。
【００４１】
この実施の形態における決済端末２での決済処理は図２０に基づいて行われる。この決済処理は基本的には図１０と同じである。異なるのは、Ｓ１８にて照会結果と手書きサイン画像に受信を確認し、Ｓ１９にて伝票の作成を行った後、Ｓ３８にて、受信した手書きサイン画像を復号化することである。
【００４２】
また、決済端末用サーバ４では、決済端末２からクレジットデータと手書きサイン要求を受信すると、図２１に示す処理を行う。この処理は図１１に示す処理と基本的には同じである。異なる点は、Ｓ２３にて受信したクレジット番号に関連付けられている手書きサイン画像をデータベース７から取得すると、Ｓ３９にて、取得した手書きサイン画像を暗号化することである。
【００４３】
なお、暗号化と復号化については、決済端末用サーバ４と決済端末２の両方に共通の秘密鍵を用いる秘密鍵方式でも、決済端末用サーバ４が公開鍵を持ち、決済端末２が秘密鍵を持つ公開鍵方式でもよい。
【００４４】
このような構成においては、前述した第１の実施の形態と同様の作用効果が得られる他、決済端末用サーバ４から決済端末２に送信する手書きサイン画像を暗号化するので、手書きサイン画像が漏れるのを防止できる。  
なお、ここでは決済端末用サーバ４から決済端末２に手書きサイン画像を暗号化して送信したが、さらに、照会結果も含めて暗号化してもよい。  
なお、前述した各実施の形態では、携帯端末として携帯電話を使用したが必ずしもこれに限定するものではなく、例えばＰＤＡと呼ばれる携帯情報端末などであってもよい。また、前述した各実施の形態では、個人識別情報としてクレジット番号を使用したものについて述べたが必ずしもこれに限定するものでないのは勿論である。
【図面の簡単な説明】
【００４５】
【図１】本発明の、第１の実施の形態に係るシステム構成を示すブロック図。
【図２】同実施の形態における決済端末の構成を示すブロック図。
【図３】同実施の形態における決済端末用サーバの構成を示すブロック図。
【図４】同実施の形態における携帯電話用サーバの構成を示すブロック図。
【図５】同実施の形態における携帯電話の構成を示すブロック図。
【図６】同実施の形態の決済端末用サーバによる手書きサイン画像の登録処理を示す流れ図。
【図７】同実施の形態のスキャナによる手書きサイン読込み処理を示す流れ図。
【図８】同実施の形態のデータベースにおける手書きサイン画像等の保存状態を示す図。
【図９】同実施の形態の携帯電話によるクレジット番号の送信処理を示す流れ図。
【図１０】同実施の形態の決済端末による決済処理を示す流れ図。
【図１１】同実施の形態の決済端末用サーバによる決済処理を示す流れ図。
【図１２】同実施の形態の決済端末による認証不正判断時の処理を示す流れ図。
【図１３】同実施の形態の決済端末用サーバによる認証不正登録処理を示す流れ図。
【図１４】本発明の、第２の実施の形態に係る決済端末用サーバによる手書きサイン画像の登録処理を示す流れ図。
【図１５】同実施の形態のカメラによる顔画像撮影処理を示す流れ図。
【図１６】同実施の形態のデータベースにおける手書きサイン画像、顔画像等の保存状態を示す図。
【図１７】同実施の形態の決済端末による決済処理を示す流れ図。
【図１８】本発明の、第３の実施の形態における決済端末のアプリケーション実行部に設定されている要部機能を示すブロック図。
【図１９】同実施の形態における決済端末用サーバのアプリケーション実行部に設定されている要部機能を示すブロック図。
【図２０】同実施の形態の決済端末による決済処理を示す流れ図。
【図２１】同実施の形態の決済端末用サーバによる決済処理を示す流れ図。
【符号の説明】
【００４６】
２…決済端末、４…決済端末用サーバ、５…携帯電話用サーバ、７…データベース、９…携帯電話、２２…決済端末のアプリケーション実行部、２４…キー入力部、２５…表示部、２６…無線通信部、４２…決済端末用サーバのアプリケーション実行部、４７…画像取得部。
【図１】
2005242768.tif 000003
【図２】
2005242768.tif 000004
【図３】
2005242768.tif 000005
【図４】
2005242768.tif 000006
【図５】
2005242768.tif 000007
【図６】
2005242768.tif 000008
【図７】
2005242768.tif 000009
【図８】
2005242768.tif 000010
【図９】
2005242768.tif 000011
【図１０】
2005242768.tif 000012
【図１１】
2005242768.tif 000013
【図１２】
2005242768.tif 000014
【図１３】
2005242768.tif 000015
【図１４】
2005242768.tif 000016
【図１５】
2005242768.tif 000017
【図１６】
2005242768.tif 000018
【図１７】
2005242768.tif 000019
【図１８】
2005242768.tif 000020
【図１９】
2005242768.tif 000021
【図２０】
2005242768.tif 000022
【図２１】
2005242768.tif 000023